(57)【要約】【課題】サステイン電圧より小さい値の電圧をスキャン電極とサステイン電極に印加して放電を保持することができるプラズマディスプレイ装置及び駆動方法を提供する。【解決手段】スキャン電極Ｙに陽（＋）の電圧と陰（−）の電圧とを交互に印加し、スキャン電極Ｙに印加される電圧の極性と反対の電圧をサステイン電極Ｚに交互に印加する。  スキャン電極及びサステイン電極を含むプラズマディスプレイパネルと、サステイン期間に前記スキャン電極に陽（＋）の第１の電圧と陰（−）の第２の電圧が交互に印加される時毎に、前記サステイン電極に陰（−）の第４の電圧と陽（＋）の第３の電圧を交互に印加する電極駆動部とを含むプラズマディスプレイ装置。【選択図】  図５
2006039576.tif 000002
【特許請求の範囲】
【請求項１】
スキャン電極及びサステイン電極を含むプラズマディスプレイパネルと、
サステイン期間に前記スキャン電極に陽（＋）の第１の電圧と陰（−）の第２の電圧が交互に印加される時毎に、前記サステイン電極に陰（−）の第４の電圧と陽（＋）の第３の電圧を交互に印加する電極駆動部とを含むプラズマディスプレイ装置。
【請求項２】
前記電極駆動部は、前記スキャン電極に前記第１の電圧の絶対値と前記第４の電圧の絶対値とを加えた値のｎ倍（０＜ｎ＜１、ｎは実数）に該当する陽（＋）の電圧と、前記第２の電圧の絶対値と前記第３の電圧の絶対値とを加えた値の（１−ｍ）倍（０＜ｍ＜１、ｍは実数）に該当する陰（−）の電圧とを交互に印加する時毎に、前記サステイン電極に前記第１の電圧の絶対値と前記第４の電圧の絶対値とを加えた値の（１−ｎ）倍に該当する陰（−）の電圧と、前記第２の電圧の絶対値と前記第３の電圧の絶対値とを加えた値のｍ倍の陽（＋）の電圧とを交互に印加することを特徴とする、請求項１記載のプラズマディスプレイ装置。
【請求項３】
前記電極駆動部は、前記スキャン電極に前記第１の電圧の絶対値と前記第４の電圧の絶対値とを加えた値の０．５倍に該当する陽（＋）の電圧と、前記第２の電圧の絶対値と前記第３の電圧の絶対値とを加えた値の０．５倍に該当する陰（−）の電圧とを交互に印加する時毎に、前記サステイン電極に前記第１の電圧の絶対値と前記第４の電圧の絶対値とを加えた値の０．５倍に該当する陰（−）の電圧と、前記第２の電圧の絶対値と前記第３の電圧の絶対値とを加えた値の０．５倍の陽（＋）の電圧とを交互に印加することを特徴とする、請求項２記載のプラズマディスプレイ装置。
【請求項４】
前記電極駆動部は、
ａ）サステイン期間に前記陽（＋）の第１の電圧と前記陰（−）の第２の電圧を前記スキャン電極に交互に印加するスキャン電極駆動部及び
ｂ）前記サステイン期間に前記スキャン電極駆動部が前記陰（−）の第２の電圧を印加する時前記陽（＋）の第３の電圧を前記サステイン電極に印加し、前記スキャン電極駆動部が前記陽（＋）の第１の電圧を印加する時前記陰（−）の第４の電圧を前記サステイン電極に印加するサステイン電極駆動部とを含むことを特徴とする、請求項１記載のプラズマディスプレイ装置。
【請求項５】
前記スキャン電極駆動部は、前記陽（＋）の第１の電圧を印加するポジティブスキャン電極駆動部と前記陰（−）の第２の電圧を印加するネガティブスキャン電極駆動部とを含み、
前記サステイン電極駆動部は、前記ネガティブスキャン電極駆動部が陰（−）の第２の電圧を印加する時前記陽（＋）の第３の電圧を印加するポジティブサステイン電極駆動部と前記ポジティブスキャン電極駆動部が前記陰（−）の第１の電圧を印加する時前記陰（−）の第４の電圧を印加するネガティブサステイン電極駆動部とを含むことを特徴とする、請求項４記載のプラズマディスプレイ装置。
【請求項６】
前記ポジティブスキャン電極駆動部は、一方の端が前記陽（＋）の第１の電圧を供給する第１の電圧源と連結され他方の端は前記スキャン電極と連結される第１のスイッチと、一方の端が前記スキャン電極と連結され他方の端はグラウンドと接続される第２のスイッチとからなり、
前記ネガティブスキャン電極駆動部は、一方の端が前記陰（−）の第２の電圧を供給する第２の電圧源と連結され他方の端は前記スキャン電極と連結される第３のスイッチと、一方の端が前記スキャン電極と連結され他方の端はグラウンドと接続される第４のスイッチとからなり、
前記ポジティブサステイン電極駆動部は、一方の端が前記陽（＋）の第３の電圧を供給する第３の電圧源と連結され他方の端は前記サステイン電極と連結される第５のスイッチと、一方の端が前記サステイン電極と連結され他方の端はグラウンドと接続される第６のスイッチとからなり、
前記ネガティブサステイン電極駆動部は、一方の端が前記陰（−）の第４の電圧を供給する第４の電圧源と連結され他方の端は前記サステイン電極と連結される第７のスイッチと、一方の端が前記サステイン電極と連結され他方の端はグラウンドと接続される第８のスイッチとからなることを特徴とする、請求項５記載のプラズマディスプレイ装置。
【請求項７】
前記ポジティブスキャン電極駆動部は、
ａ）アノード端が前記第２のスイッチの他方の端と連結されカソード端が前記第２のスイッチの一方の端と連結される第１のダイオードと、
ｂ）アノード端が前記スキャン電極と連結されカソード端が前記第２のスイッチの一方の端と連結される第１の短絡防止ダイオードとを更に含み、
前記ネガティブスキャン電極駆動部は、
ｃ）アノード端が前記第４のスイッチの一方の端と連結されカソード端が前記第４のスイッチの他方の端と連結される第２のダイオードと、
ｄ）カソード端が前記スキャン電極と連結されアノード端が前記第４のスイッチの一方の端と連結される第２の短絡防止ダイオードとを更に含み、
前記ポジティブサステイン電極駆動部は、
ｅ）アノード端が前記第６のスイッチの他方の端と連結されカソード端が前記第６のスイッチの一方の端と連結される第３のダイオードと、
ｆ）アノード端が前記サステイン電極と連結されカソード端が前記第６のスイッチの一方の端と連結される第３の短絡防止ダイオードとを更に含み、
前記ネガティブサステイン電極駆動部は、
ｇ）アノード端が前記第８のスイッチの一方の端と連結されカソード端が前記第８のスイッチの他方の端と連結される第４のダイオードと、
ｈ）カソード端が前記サステイン電極と連結されアノード端が前記第４のスイッチの一方の端と連結される第４の短絡防止ダイオードとを更に含むことを特徴とする、請求項６記載のプラズマディスプレイ装置。
【請求項８】
前記第１の短絡防止ダイオード、前記第２の短絡防止ダイオード、 前記第３の短絡防止ダイオードまたは前記第４の短絡防止ダイオードの中少なくとも１つはファストリカバリーダイオード（fast recovery diode）であることを特徴とする、請求項７記載のプラズマディスプレイ装置。
【請求項９】
前記ポジティブスキャン電極駆動部は、前記ネガティブスキャン電極駆動部が動作する時前記スキャン電極と前記ポジティブスキャン電極駆動部とを遮断する第１の経路選択部をさらに含み、
前記ネガティブスキャン電極駆動部は、前記ポジティブスキャン電極駆動部が動作する時前記スキャン電極と前記ネガティブスキャン電極駆動部とを遮断する第２の経路選択部をさらに含むことを特徴とする、請求項６記載のプラズマディスプレイ装置。
【請求項１０】
前記第１の経路選択部は、一方の端が前記スキャン電極と連結され他方の端が前記第２のスイッチの一方の端と連結される第１の経路選択スイッチを含み、
前記第２の経路選択部は、一方の端が前記スキャン電極と連結され他方の端が前記第４のスイッチの一方の端と連結される第２の経路選択スイッチを含むことを特徴とする、請求項９記載のプラズマディスプレイ装置。
【請求項１１】
前記ポジティブサステイン電極駆動部は、前記ネガティブサステイン電極駆動部が動作する時前記サステイン電極と前記ポジティブサステイン電極駆動部とを遮断する第３の経路選択部をさらに含み、
前記ネガティブサステイン電極駆動部は、前記ポジティブサステイン電極駆動部が動作する時前記サステイン電極と前記ネガティブサステイン電極駆動部とを遮断する第４の経路選択部をさらに含むことを特徴とする、請求項６記載のプラズマディスプレイ装置。
【請求項１２】
前記第３の経路選択部は、一方の端が前記サステイン電極と連結され他方の端が前記第６のスイッチの一方の端と連結される第３の経路選択スイッチを含み、
前記第４の経路選択部は、一方の端が前記サステイン電極と連結され他方の端が前記第８のスイッチの一方の端と連結される第４の経路選択スイッチを含むことを特徴とする、請求項１１記載のプラズマディスプレイ装置。
【請求項１３】
前記スキャン電極駆動部は、
ａ）前記陽（＋）の第１の電圧の０．５倍に該当するエネルギーを共振を用いて前記スキャン電極に注入し、前記ポジティブスキャン電極駆動部が前記陽（＋）の第１の電圧を前記スキャン電極に印加した後前記陽（＋）の第１の電圧の０．５倍に該当するエネルギーを共振を用いて回収する第１のスキャン電極用エネルギー回収部と、
ｂ）前記陰（−）の第２の電圧の０．５倍に該当するエネルギーを共振を用いて前記スキャン電極に注入し、前記ネガティブスキャン電極駆動部が前記陰（−）の第２の電圧を前記スキャン電極に印加した後前記陰（−）の第２の電圧の０．５倍に該当するエネルギーを共振を用いて回収する第２のスキャン電極用エネルギー回収部とをさらに含み、
前記サステイン電極駆動部は、
ｃ）前記第２のスキャン電極用エネルギー回収部が前記エネルギーを注入する時前記陽（＋）の第３の電圧の０．５倍に該当するエネルギーを共振を用いて前記サステイン電極に注入し、前記ポジティブサステイン電極駆動部が前記陽（＋）の第３の電圧を前記サステイン電極に印加した後前記陽（＋）の第３の電圧の０．５倍に該当するエネルギーを共振を用いて回収する第３のサステイン電極用エネルギー回収部と、
ｄ）前記第１のスキャン電極用エネルギー回収部が前記エネルギーを注入する時前記陰（−）の第４の電圧の０．５倍に該当するエネルギーを共振を用いて前記サステイン電極に注入し、前記ネガティブサステイン電極駆動部が前記陰（−）の第４の電圧を前記サステイン電極に印加した後前記陰（−）の第４の電圧の０．５倍に該当するエネルギーを共振を用いて回収する第４のサステイン電極用エネルギー回収部とをさらに含むことを特徴とする、請求項５記載のプラズマディスプレイ装置。
【請求項１４】
前記ポジティブスキャン電極駆動部は、前記第２のスキャン電極用エネルギー回収部がエネルギーを注入した後前記第２の電圧が印加される時前記第２の電圧がグラウンドに印加されることを遮断する第５の短絡防止ダイオードをさらに含み、
前記ネガティブスキャン電極駆動部は、前記第１のスキャン電極用エネルギー回収部がエネルギーを注入した後前記第１の電圧が印加される時前記第１の電圧がグラウンドに印加されることを遮断する第６の短絡防止ダイオードをさらに含み、
前記ポジティブサステイン電極駆動部は、前記第４のスキャン電極用エネルギー回収部がエネルギーを注入した後前記第４の電圧が印加される時前記第４の電圧がグラウンドに印加されることを遮断する第7の短絡防止ダイオードをさらに含み、
前記ネガティブサステイン電極駆動部は、前記第３のスキャン電極用エネルギー回収部がエネルギーを注入した後前記第３の電圧が印加される時前記第３の電圧がグラウンドに印加されることを遮断する第８の短絡防止ダイオードをさらに含むことを特徴とする、請求項１３記載のプラズマディスプレイ装置。
【請求項１５】
前記ポジティブスキャン電極駆動部は、前記ネガティブスキャン電極駆動部または前記第２のスキャン電極用エネルギー回収部が動作する時前記スキャン電極と前記ポジティブスキャン電極駆動部とを遮断する第５の経路選択部を含み、
前記ネガティブスキャン電極駆動部は、前記ポジティブスキャン電極駆動部または前記第１のスキャン電極用エネルギー回収部が動作する時前記スキャン電極と前記ネガティブスキャン電極駆動部とを遮断する第６の経路選択部をさらに含み、
前記ポジティブサステイン電極駆動部は、前記ネガティブサステイン電極駆動部または前記第４のサステイン電極用エネルギー回収部が動作する時前記サステイン電極と前記ポジティブサステイン電極駆動部とを遮断する第７の経路選択部をさらに含み、
前記ネガティブサステイン電極駆動部は、前記ポジティブサステイン電極駆動部または前記第３のサステイン電極用エネルギー回収部が動作する時前記サステイン電極と前記ネガティブサステイン電極駆動部とを遮断する第８の経路選択部をさらに含むことを特徴とする、請求項１３記載のプラズマディスプレイ装置。
【請求項１６】
スキャン電極及びサステイン電極を含むプラズマディスプレイパネルと、
サステイン期間に前記陽（＋）の第１の電圧と前記陰（−）の第２の電圧を前記スキャン電極に交互に印加するスキャン電極駆動部と、
前記サステイン期間に前記スキャン電極駆動部が前記陰（−）の第２の電圧を印加する時前記陽（＋）の第３の電圧を前記サステイン電極に印加し、前記スキャン電極駆動部が前記陽（＋）の第１の電圧を印加する時前記陰（−）の第４の電圧を前記サステイン電極に印加するサステイン駆動部とを含むプラズマディスプレイ装置。
【請求項１７】
サステイン期間にスキャン電極及びサステイン電極を駆動するためのプラズマディスプレイ装置の駆動方法において、
前記スキャン電極に陽（＋）の第１の電圧と陰（−）の第２の電圧が交互に印加される段階と、前記陽（＋）の第１の電圧と前記陰（−）の第２の電圧が交互に印加される時毎に前記サステイン電極に陰（−）の第４の電圧と陽（＋）の第３の電圧を交互に印加する段階とを含むプラズマディスプレイ装置の駆動方法。
【請求項１８】
前記陽（＋）の第１の電圧は前記第１の電圧の絶対値と前記第４の電圧の絶対値とを加えた値のｎ倍（０＜ｎ＜１、ｎは実数）に該当する陽（＋）の電圧であり、
前記陰（−）の第２の電圧は前記第２の電圧の絶対値と前記第３の電圧の絶対値とを加えた値の（１−ｍ）倍（０＜ｍ＜１、ｍは実数）に該当する陰（−）の電圧であり、
前記陰（−）の第４の電圧は前記第１の電圧の絶対値と前記第４の電圧の絶対値とを加えた値の（１−ｎ）倍に該当する陰（−）の電圧であり、
前記陽（＋）の第３の電圧は前記第２の電圧の絶対値と前記第３の電圧の絶対値とを加えた値のｍ倍の陽（＋）の電圧であることを特徴とする、請求項１７記載のプラズマディスプレイ装置の駆動方法。
【請求項１９】
前記陽（＋）の第１の電圧は前記第１の電圧の絶対値と前記第４の電圧の絶対値とを加えた値の０．５倍に該当する陽（＋）の電圧であり、
前記陰（−）の第２の電圧は前記第２の電圧の絶対値と前記第３の電圧の絶対値とを加えた値の０．５倍に該当する陰（−）の電圧であり、
前記陰（−）の第４の電圧は前記第１の電圧の絶対値と前記第４の電圧の絶対値とを加えた値の０．５倍に該当する陰（−）の電圧であり、
前記陽（＋）の第３の電圧は前記第２の電圧の絶対値と前記第３の絶対値とを加えた値の０．５倍の陽（＋）の電圧であることを特徴とする、請求項１８記載のプラズマディスプレイ装置の駆動方法。
【請求項２０】
前記陽（＋）の第１の電圧の０．５倍のエネルギーが前記スキャン電極を介して注入され前記スキャン電極に陽（＋）の第１の電圧が印加された後前記陽（＋）の第１の電圧の０．５倍のエネルギーが前記スキャン電極を介して回収され、
前記陰（−）の第２の電圧の０．５倍のエネルギーが前記スキャン電極を介して注入され前記スキャン電極に陰（−）の第２の電圧が印加された後前記陰（−）の第２の電圧の０．５倍のエネルギーが前記スキャン電極を介して回収され、
前記陰（−）の第４の電圧の０．５倍のエネルギーが前記サステイン電極を介して注入され前記サステイン電極に陰（−）の第４の電圧が印加された後前記陰（−）の第４の電圧の０．５倍のエネルギーが前記サステイン電極を介して回収され、
前記陽（＋）の第３の電圧の０．５倍のエネルギーが前記サステイン電極を介して注入され前記サステイン電極に陽（＋）の第３の電圧が印加された後前記陽（＋）の第３の電圧の０．５倍のエネルギーが前記サステイン電極を介して回収されることを特徴とする、請求項１７記載のプラズマディスプレイ装置の駆動方法。
【発明の詳細な説明】
【技術分野】
【０００１】
本発明はプラズマディスプレイ装置及び駆動方法に関し、より詳しくはサステイン過程を遂行するプラズマディスプレイ装置及び駆動方法に関する。
【背景技術】
【０００２】
図１は、従来のプラズマディスプレイ装置の駆動方法を説明するための図面である。
【０００３】
図１に図示したように、サブフィールド（subfield）を用いてプラズマディスプレイパネルを駆動するために１フルーム時間（１６．７ｍｓ）はｎ個のサブフィールドに分けられ、それぞれのサブフィールドはリセット（reset）期間、アドレス（address）期間及びサステイン期間に分けられる。図１においてはサブフィールドの数が８個であり、リセット期間とアドレス期間とが１つの期間に表示されている。階調を表現するため各サブフィールドのサステイン期間はそれぞれ異なる加重値（weight）が割り当てられ、このようなサブフィールドの適切な組合によって階調が表現される。
【０００４】
一方、プラズマディスプレイ装置はサステイン期間に選ばれたセルの放電を保持するために交番されるようにサステインパルスをスキャン電極及びサステイン電極に印加する。このようにサステインパルスを印加するサステイン駆動装置は次の図２の通りである。
【０００５】
図２は、サステインパルスを印加する従来のプラズマディスプレイ装置の回路図である。図３は、従来のプラズマディスプレイ装置によってスキャン電極に印加される電圧と電流の波形図である。
【０００６】
図２を参照すれば、従来のプラズマディスプレイ装置は無効電力を回収するためエネルギー回収部１０、２０とスキャン電極Ｙ及びサステイン電極Ｚにサステイン電圧Ｖｓを印加するための電極駆動部１５、２５とを含む。
【０００７】
スキャン電極Ｙと係ったエネルギー回収部１０及び電極駆動部１５の駆動方法を図３を参照して説明すると次の通りである。
【０００８】
先ず、第１の状態（state１）においては、第１のスイッチＱ１がターンオン（turn-on）され、第２乃至第４のスイッチＱ２、Ｑ３、Ｑ４はターンオフ（turn-off）される。これによってキャパシタＣ１に貯蔵されていたエネルギーがパネル（panel）へ供給されてＶｐが上昇する。前記第１の状態においては、図３に図示したように、インダクタ（inductor）Ｌ１に流れる電流がキャパシタＣ１からパネル（panel）の方にエネルギーが供給されているため＋ＩＬ（順方向）になる。
【０００９】
第２の状態（state２）においては、第１のスイッチＱ１と第２のスイッチＱ２がターンオンされ、第３のスイッチＱ３と第４のスイッチＱ４とはターンオフされる。これによってＶｐはサステイン電圧Ｖｓになる。第１の状態（state１）が終わる瞬間、即ち、ｔ１でＬＣ共振によってＶｐが最大値Ｖｓになる瞬間にパネル（panel）に電圧が印加される。
【００１０】
以後、第３の状態（state３）においては、第３のスイッチＱ３がターンオンされ、第１のスイッチＱ１、第２のスイッチＱ２及び第４のスイッチＱ４とはターンオフされる。これによってパネル（panel）に貯蔵されていたエネルギーがキャパシタＣ１に回収され、Ｖｐは降下する。第３の状態（state３）においては、図３に図示したように、パネル（panel）からキャパシタＣ１へ電流が流れるためインダクタＬ１に流れる電流は−ＩＬ（逆方向）になる。
【００１１】
最後に、第４の状態（state４）においては、第３のスイッチＱ３と第４のスイッチＱ４がターンオンされ、第１のスイッチＱ１及び第２のスイッチＱ２はターンオフされる。これによってＶｐはグラウンドレベルになる。第３の状態（state３）が終わる瞬間、即ち、ｔ２でＶｐはグラウンドレベル（ground  level）に保持される。
【００１２】
このように、スキャン電極Ｙと係ったエネルギー回収部１０及び電極駆動部１５とが動作する時、第７のスイッチＱ７が常にターンオンされサステイン電極Ｚはグラウンドラベルを保持する。
【００１３】
また、サステイン電極Ｚと係ったエネルギー回収部２０及び電極駆動部２５の動作は、先のエネルギー回収部１０及び電極駆動部１５の動作と同一である。このように、サステイン電極Ｚと係ったエネルギー回収部２０及び電極駆動部２５とが動作する時、第４のスイッチＱ４が常にターンオンされスキャン電極Ｙはグラウンドラベルを保持する。
【００１４】
以上から分かるように、従来のプラズマディスプレイ装置はスキャン電極Ｙ及びサステイン電極Ｚに１８０Ｖ〜２１０Ｖのように大きいサステイン電圧Ｖｓを印加するため耐電圧特性が優秀な高価のスイッチング素子を使用しなければならない。
【００１５】
したがって、従来のプラズマディスプレイ装置は高価のスイッチング素子を含まなければならないため、プラズマディスプレイ装置の製造費用が増加するという問題点が発生する。
【００１６】
また、従来のプラズマディスプレイ装置は大きいサステイン電圧を用いて高周波のサステインパルスを印加するため、抵抗成分による発熱及び電力消耗が増加するという問題点が発生する。
【発明の開示】
【発明が解決しようとする課題】
【００１７】
本発明の目的は、サステイン電圧より小さい値の電圧をスキャン電極とサステイン電極に印加して放電を保持することができるプラズマディスプレイ装置及び駆動方法を提供することにある。
【課題を解決するための手段】
【００１８】
本発明によるプラズマディスプレイ装置はスキャン電極及びサステイン電極を含むプラズマディスプレイパネル及びサステイン期間にスキャン電極に陽（＋）の第１の電圧と陰（−）の第２の電圧が交互に印加される時毎にサステイン電極に陰（−）の第４の電圧と陽（＋）の第３の電圧を交互に印加する電極駆動部とを含む。
【００１９】
本発明によるプラズマディスプレイ装置はスキャン電極及びサステイン電極を含むプラズマディスプレイパネルと、サステイン期間に陽（＋）の第１の電圧と陰（−）の第２の電圧を前記スキャン電極に交互に印加するスキャン電極駆動部；及びサステイン期間にスキャン電極駆動部が陰（−）の第２の電極を印加する時陽（＋）の第３の電圧をサステイン電極に印加し、スキャン電極駆動部が陽（＋）の第１の電圧を印加する時陰（−）の第４の電圧をサステイン電極に印加するサステイン電極駆動部とを含む。
【００２０】
本発明によるプラズマディスプレイ装置の駆動方法はスキャン電極に陽（＋）の第１の電圧と陰（−）の第２の電圧が交互に印加される段階と、陽（＋）の第１の電圧と陰（−）の第２の電圧が交互に印加される時毎にサステイン電極に陰（−）の第４の電圧と陽（＋）の第３の電圧を交互に印加する段階とを含む。
【００２１】
本発明のプラズマディスプレイ装置はスキャン電極及びサステイン電極を含むプラズマディスプレイパネル及びサステイン期間にスキャン電極に陽（＋）の第１の電圧と陰（−）の第２の電圧が交互に印加される時毎にサステイン電極に陰（−）の第４の電圧と陽（＋）の第３の電圧を交互に印加する電極駆動部とを含む。
【００２２】
前記電極駆動部は前記スキャン電極に前記第１の電圧の絶対値と前記第４の電圧の絶対値とを加えた値のｎ倍（０＜ｎ＜１、ｎは実数）に該当する陽（＋）の電圧と、前記第２の電圧の絶対値と前記第３の電圧の絶対値とを加えた値の（１−ｍ）倍（０＜ｍ＜１、ｍは実数）に該当する陰（−）の電圧とを交互に印加する時毎に、前記サステイン電極に前記第１の電圧の絶対値と前記第４の電圧の絶対値とを加えた値の（１−ｎ）倍に該当する陰（−）の電圧と、前記第２の電圧の絶対値と前記第３の電圧の絶対値とを加えた値のｍ倍の陽（＋）の電圧とを交互に印加することを特徴とする。
【００２３】
前記電極駆動部は前記スキャン電極に前記第１の電圧の絶対値と前記第４の電圧の絶対値とを加えた値の０．５倍に該当する陽（＋）の電圧と、前記第２の電圧の絶対値と前記第３の電圧の絶対値とを加えた値の０．５倍に該当する陰（−）の電圧とを交互に印加する時毎に、前記サステイン電極に前記第１の電圧の絶対値と前記第４の電圧の絶対値とを加えた値の０．５倍に該当する陰（−）の電圧と、前記第２の電圧の絶対値と前記第３の電圧の絶対値とを加えた値の０．５倍の陽（＋）の電圧とを交互に印加することを特徴とする。
【００２４】
前記電極駆動部はａ）サステイン期間に前記陽（＋）の第１の電圧と前記陰（−）の第２の電圧を前記スキャン電極に交互に印加するスキャン電極駆動部及びｂ）前記サステイン期間に前記スキャン電極駆動部が前記陰（−）の第２の電圧を印加する時前記陽（＋）の第３の電圧を前記サステイン電極に印加し、前記スキャン電極駆動部が前記陽（＋）の第１の電圧を印加する時前記陰（−）の第４の電圧を前記サステイン電極に印加するサステイン電極駆動部とを含む。
【００２５】
前記スキャン電極駆動部は前記陽（＋）の第１の電圧を印加するポジティブスキャン電極駆動部と前記陰（−）の第２の電圧を印加するネガティブスキャン電極駆動部とを含み、サステイン電極駆動部は前記ネガティブスキャン電極駆動部が陰（−）の第２の電圧を印加する時前記陽（＋）の第３の電圧を印加するポジティブサステイン電極駆動部と前記ポジティブスキャン電極駆動部が前記陰（−）の第１の電圧を印加する時前記陰（−）の第４の電圧を印加するネガティブサステイン電極駆動部とを含むことを特徴とする。
【００２６】
前記ポジティブスキャン電極駆動部は一方の端が前記陽（＋）の第１の電圧を供給する第１の電圧源と連結され他方の端は前記スキャン電極と連結される第１のスイッチと、一方の端が前記スキャン電極と連結され他方の端はグラウンドと接続される第２のスイッチとからなり、前記ネガティブスキャン電極駆動部は一方の端が前記陰（−）の第２の電圧を供給する第２の電圧源と連結され他方の端は前記スキャン電極と連結される第３のスイッチと、一方の端が前記スキャン電極と連結され他方の端はグラウンドと接続される第４のスイッチとからなり、前記ポジティブサステイン電極駆動部は一方の端が前記陽（＋）の第３の電圧を供給する第３の電圧源と連結され他方の端は前記サステイン電極と連結される第５のスイッチと、一方の端が前記サステイン電極と連結され他方の端はグラウンドと接続される第６のスイッチとからなり、前記ネガティブサステイン電極駆動部は一方の端が前記陰（−）の第４の電圧を供給する第４の電圧源と連結され他方の端は前記サステイン電極と連結される第７のスイッチと、一方の端が前記サステイン電極と連結され他方の端はグラウンドと接続される第８のスイッチとからなることを特徴とする。
【００２７】
前記ポジティブスキャン電極駆動部はアノード端が前記第２のスイッチの他方の端と連結されカソード端が前記第２のスイッチの一方の端と連結される第１のダイオードと、更にアノード端が前記スキャン電極と連結されカソード端が前記第２のスイッチの一方の端と連結される第１の短絡防止ダイオードとを含み、前記ネガティブスキャン電極駆動部はアノード端が前記第４のスイッチの一方の端と連結されカソード端が前記第４のスイッチの他方の端と連結される第２のダイオードと、更にカソード端が前記スキャン電極と連結されアノード端が前記第４のスイッチの一方の端と連結される第２の短絡防止ダイオードとを含み、前記ポジティブサステイン電極駆動部はアノード端が前記第６のスイッチの他方の端と連結されカソード端が前記第６のスイッチの一方の端と連結される第３のダイオードと、更にアノード端が前記サステイン電極と連結されカソード端が前記第６のスイッチの一方の端と連結される第３の短絡防止ダイオードとを含み、前記ネガティブサステイン電極駆動部はアノード端が前記第８のスイッチの一方の端と連結されカソード端が前記第８のスイッチの他方の端と連結される第４のダイオードと、カソード端が前記サステイン電極と連結されアノード端が前記第４のスイッチの一方の端と連結される第４の短絡防止ダイオードとを更に含むことを特徴とする。
【００２８】
前記第１の短絡防止ダイオードと前記第２の短絡防止ダイオードとはファストリカバリーダイオード（fast recovery diode）であることを特徴とする。
【００２９】
前記第１の短絡防止ダイオード、 前記第２の短絡防止ダイオード、 前記第３の短絡防止ダイオードまたは前記第４の短絡防止ダイオードの中少なくとも１つはファストリカバリーダイオード（fast recovery diode）であることを特徴とする。
【００３０】
前記ポジティブスキャン電極駆動部は、前記ネガティブスキャン電極駆動部が動作する時前記スキャン電極と前記ポジティブスキャン電極駆動部とを遮断する第１の経路選択部をさらに含み、前記ネガティブスキャン電極駆動部は、前記ポジティブスキャン電極駆動部が動作する時前記スキャン電極と前記ネガティブスキャン電極駆動部とを遮断する第２の経路選択部をさらに含むことを特徴とする。
【００３１】
前記第１の経路選択部は、一方の端が前記スキャン電極と連結され他方の端が前記第２のスイッチの一方の端と連結される第１の経路選択スイッチを含み、前記第２の経路選択部は、一方の端が前記スキャン電極と連結され他方の端が前記第４のスイッチの一方の端と連結される第２の経路選択スイッチを含むことを特徴とする。
【００３２】
前記ポジティブサステイン電極駆動部は、前記ネガティブサステイン電極駆動部が動作する時前記サステイン電極と前記ポジティブサステイン電極駆動部とを遮断する第３の経路選択部をさらに含み、前記ネガティブサステイン電極駆動部は前記ポジティブサステイン電極駆動部が動作する時前記サステイン電極と前記ネガティブサステイン電極駆動部とを遮断する第４の経路選択部をさらに含むことを特徴とする。
【００３３】
前記第３経路選択部は一方の端が前記サステイン電極と連結され他方の端が前記第６のスイッチの一方の端と連結される第３の経路選択スイッチを含み、 前記第４の経路選択部は、一方の端が前記サステイン電極と連結され他方の端が前記第８のスイッチの一方の端と連結される第４の経路選択スイッチを含むことを特徴とする。
【００３４】
前記スキャン電極駆動部は、ａ）前記陽（＋）の第１の電圧の０．５倍に該当するエネルギーを共振を用いて前記スキャン電極に注入し、前記ポジティブスキャン電極駆動部が前記陽（＋）の第１の電圧を前記スキャン電極に印加した後前記陽（＋）の第１の電圧の０．５倍に該当するエネルギーを共振を用いて回収する第１のスキャン電極用エネルギー回収部と、ｂ）前記陰（−）の第２の電圧の０．５倍に該当するエネルギーを共振を用いて前記スキャン電極に注入し、前記ネガティブスキャン電極駆動部が前記陰（−）の第２の電圧を前記スキャン電極に印加した後前記陰（−）の第２の電圧の０．５倍に該当するエネルギーを共振を用いて回収する第２のスキャン電極用エネルギー回収部とをさらに含み、前記サステイン電極駆動部は、ｃ）前記第２のスキャン電極用エネルギー回収部が前記エネルギーを注入する時前記陽（＋）の第３の電圧の０．５倍に該当するエネルギーを共振を用いて前記サステイン電極に注入し、前記ポジティブサステイン電極駆動部が前記陽（＋）の第３の電圧を前記サステイン電極に印加した後前記陽（＋）の第３の電圧の０．５倍に該当するエネルギーを共振を用いて回収する第３のサステイン電極用エネルギー回収部と、ｄ）前記第１のスキャン電極用エネルギー回収部が前記エネルギーを注入する時前記陰（−）の第４の電圧の０．５倍に該当するエネルギーを共振を用いて前記サステイン電極に注入し、前記ネガティブサステイン電極駆動部が前記陰（−）の第４の電圧を前記サステイン電極に印加した後前記陰（−）の第４の電圧の０．５倍に該当するエネルギーを共振を用いて回収する第４のサステイン電極用エネルギー回収部とをさらに含むことを特徴とする。
【００３５】
前記ポジティブスキャン電極駆動部は、前記第２のスキャン電極用エネルギー回収部がエネルギーを注入した後前記第２の電圧が印加される時前記第２の電圧がグラウンドに印加されることを遮断する第５の短絡防止ダイオードをさらに含み、前記ネガティブスキャン電極駆動部は、前記第１のスキャン電極用エネルギー回収部がエネルギーを注入した後前記第１の電圧が印加される時前記第１の電圧がグラウンドに印加されることを遮断する第６の短絡防止ダイオードをさらに含み、前記ポジティブサステイン電極駆動部は、前記第４のスキャン電極用エネルギー回収部がエネルギーを注入した後前記第４の電圧が印加される時前記第４の電圧がグラウンドに印加されることを遮断する第7の短絡防止ダイオードをさらに含み、前記ネガティブサステイン電極駆動部は、前記第３のスキャン電極用エネルギー回収部がエネルギーを注入した後前記第３の電圧が印加される時前記第３の電圧がグラウンドに印加されることを遮断する第８の短絡防止ダイオードをさらに含むことを特徴とする。
【００３６】
前記ポジティブスキャン電極駆動部は、前記ネガティブスキャン電極駆動部または前記第２のスキャン電極用エネルギー回収部が動作する時前記スキャン電極と前記ポジティブスキャン電極駆動部とを遮断する第５の経路選択部をさらに含み、前記ネガティブスキャン電極駆動部は、前記ポジティブスキャン電極駆動部または前記第１のスキャン電極用エネルギー回収部が動作する時前記スキャン電極と前記ネガティブスキャン電極駆動部とを遮断する第６の経路選択部をさらに含み、前記ポジティブサステイン電極駆動部は、前記ネガティブサステイン電極駆動部または前記第４のサステイン電極用エネルギー回収部が動作する時前記サステイン電極と前記ポジティブサステイン電極駆動部とを遮断する第７の経路選択部をさらに含み、前記ネガティブサステイン電極駆動部は、前記ポジティブサステイン電極駆動部または第３のサステイン電極用エネルギー回収部が動作する時前記サステイン電極と前記ネガティブサステイン電極駆動部とを遮断する第８の経路選択部をさらに含むことを特徴とする。
【００３７】
本発明によるプラズマディスプレイ装置はスキャン電極及びサステイン電極を含むプラズマディスプレイパネル；サステイン期間に前記陽（＋）の第１の電圧と前記陰（−）の第２の電圧を前記スキャン電極に交互に印加するスキャン電極駆動部；及び前記サステイン期間に前記スキャン電極駆動部が前記陰（−）の第２の電圧を印加する時前記陽（＋）の第３の電圧を前記サステイン電極に印加し、前記スキャン電極駆動部が前記陽（＋）の第１の電圧を印加する時前記陰（−）の第４の電圧を前記サステイン電極に印加するサステイン駆動部とを含む。
【００３８】
本発明によるプラズマディスプレイ装置の駆動方法は、前記スキャン電極に陽（＋）の第１の電圧と陰（−）の第２の電圧が交互に印加される段階；及び前記陽（＋）の第１の電圧と前記陰（−）の第２の電圧が交互に印加される時毎に前記サステイン電極に陰（−）の第４の電圧と陽（＋）の第３の電圧を交互に印加する段階とを含む。
【００３９】
前記陽（＋）の第１の電圧は前記第１の電圧の絶対値と前記第４の電圧の絶対値とを加えた値のｎ倍（０＜ｎ＜１、ｎは実数）に該当する陽（＋）の電圧であり、前記陰（−）の第２の電圧は前記第２の電圧の絶対値と前記第３の電圧の絶対値とを加えた値の（１−ｍ）倍（０＜ｍ＜１、ｍは実数）に該当する陰（−）の電圧であり、前記陰（−）の第４の電圧は前記第１の電圧の絶対値と前記第４の電圧の絶対値とを加えた値の（１−ｎ）倍に該当する陰（−）の電圧であり、前記陽（＋）の第３の電圧は前記第２の電圧の絶対値と前記第３の電圧の絶対値とを加えた値のｍ倍の陽（＋）の電圧であることを特徴とする。
【００４０】
前記陽（＋）の第１の電圧は前記第１の電圧の絶対値と前記第４の電圧の絶対値とを加えた値の０．５倍に該当する陽（＋）の電圧であり、前記陰（−）の第２の電圧は前記第２の電圧の絶対値と前記第３の電圧の絶対値とを加えた値の０．５倍に該当する陰（−）の電圧であり、前記陰（−）の第４の電圧は前記第１の電圧の絶対値と前記第４の電圧の絶対値とを加えた値の０．５倍に該当する陰（−）の電圧であり、前記陽（＋）の第３の電圧は前記第２の電圧の絶対値と前記第３の絶対値とを加えた値の０．５倍の陽（＋）の電圧であることを特徴とする。
【００４１】
前記陽（＋）の第１の電圧の０．５倍のエネルギーが前記スキャン電極を介して注入され前記スキャン電極に陽（＋）の第１の電圧が印加された後前記陽（＋）の第１の電圧の０．５倍のエネルギーが前記スキャン電極を介して回収され、前記陰（−）の第２の電圧の０．５倍のエネルギーが前記スキャン電極を介して注入され前記スキャン電極に陰（−）の第２の電圧が印加された後前記陰（−）の第２の電圧の０．５倍のエネルギーが前記スキャン電極を介して回収され、前記陰（−）の第４の電圧の０．５倍のエネルギーが前記サステイン電極を介して注入され前記サステイン電極に陰（−）の第４の電圧が印加された後前記陰（−）の第４の電圧の０．５倍のエネルギーが前記サステイン電極を介して回収され、前記陽（＋）の第３の電圧の０．５倍のエネルギーが前記サステイン電極を介して注入され前記サステイン電極に陽（＋）の第３の電圧が印加された後前記陽（＋）の第３の電圧の０．５倍のエネルギーが前記サステイン電極を介して回収されることを特徴とする。
【発明の効果】
【００４２】
本発明はスキャン電極とサステイン電極との電位差を用いて放電を保持するため耐電圧特性が低いスイッチング素子の使用が可能である。
【００４３】
また、本発明は耐電圧特性が低いスイッチング素子の使用が可能であるため、プラズマディスプレイ装置の製造費用を最小化することができる。
【００４４】
また、本発明はスキャン電極とサステイン電極との電位差を用いるため、抵抗成分による発熱及び電力消耗の増加を減らすことができる。
【発明を実施するための最良の形態】
【００４５】
以下においては、本発明による具体的な実施例を添付した図面を参照して説明する。
【００４６】
図４は、本発明のプラズマディスプレイ装置のブロック構成図である。図４に図示したように、本発明のプラズマディスプレイ装置はプラズマディスプレイパネル４００及び電極駆動部５００とを含む。
【００４７】
プラズマディスプレイパネル４００は、アドレシング（addressing）期間に選ばれたセルにおける放電保持のためスキャン電極Ｙ及びサステイン電極Ｚとを含む。
【００４８】
電極駆動部５００は、サステイン期間にスキャン電極Ｙに陽（＋）の第１の電圧Ｖ１と陰（−）の第２の電圧Ｖ２が交互に印加される時毎に前記サステイン電極Ｚに陰（−）の第４の電圧Ｖ４と陽（＋）の第３の電圧Ｖ３とを交互に印加する。
【００４９】
このように、電極駆動部５００がスキャン電極Ｙに陽と陰（−）の電圧を交互に印加しサステイン電極Ｚにスキャン電極Ｙに印加される電圧の極性と反対の電圧を印加すると、スキャン電極Ｙとサステイン電極Ｚとの電位差によって選ばれたセルの放電が保持される。
【００５０】
この時電極駆動部５００は、スキャン電極Ｙに第１の電圧Ｖ１の絶対値と第４の電圧Ｖ４の絶対値とを加えた値のｎ倍（０＜ｎ＜１、ｎは実数）に該当する陽（＋）の電圧と第２の電圧Ｖ２の絶対値と第３の電圧Ｖ３の絶対値とを加えた値の（１−ｍ）倍（０＜ｍ＜１、ｍは実数）に該当する陰（−）の電圧とを交互に印加する時毎に、サステイン電極Ｚに第１の電圧Ｖ１の絶対値と第４の電圧Ｖ４の絶対値とを加えた値の（１−ｎ）倍に該当する陰（−）の電圧と第２の電圧Ｖ２の絶対値と第３の電圧Ｖ３の絶対値とを加えた値のｍ倍の陽（＋）の電圧とを交互に印加することが好ましい。
【００５１】
より好ましくは、電極駆動部５００はスキャン電極Ｙに第１の電圧Ｖ１の絶対値と第４の電圧Ｖ４の絶対値とを加えた値の０．５倍に該当する陽（＋）の電圧と第２の電圧Ｖ２の絶対値と第３の電圧Ｖ３の絶対値とを加えた値の０．５倍に該当する陰（−）の電圧とを交互に印加する時毎に、サステイン電極Ｚに第１の電圧Ｖ１の絶対値と第４の電圧Ｖ４の絶対値とを加えた値の０．５倍に該当する陰（−）の電圧と第２の電圧Ｖ２の絶対値と第３の電圧Ｖ３の絶対値を加えた値の０．５倍の陽（＋）の電圧とを交互に印加することを特徴とする。
【００５２】
したがって、本発明の電極駆動部５００は従来のプラズマディスプレイ装置がスキャン電極及びサステイン電極に印加するサステイン電圧より小さい値の第１の電圧Ｖ１、第２の電圧Ｖ２、第３の電圧Ｖ３及び第４の電圧Ｖ４をスキャン電極Ｙ及びサステイン電極Ｚに印加する。したがって、本発明の電極駆動部５００は従来の素子に比べて耐電圧特性が低い素子から構成されてもプラズマディスプレイパネル４００の放電保持を遂行することができる。これによって製造費用の最小化及び抵抗成分による発熱及び電力消耗を減らすことができる。
＜実施例１＞
図５は、本発明によるプラズマディスプレイ装置の第１の実施例の回路図である。図５に図示したように、本発明のプラズマディスプレイ装置の第１の実施例はプラズマディスプレイパネル４００、スキャン電極駆動部５１０及びサステイン電極駆動部５２０とを含む。
【００５３】
プラズマディスプレイパネル４００は、アドレシング（addressing）期間に選ばれたセルにおける放電保持のためスキャン電極Ｙ及びサステイン電極Ｚとを含む。この時、図面符号Ｃｐはスキャン電極Ｙ及びサステイン電極Ｚとの間のキャパシタンス成分をパネルキャパシタで等価化したものである。
【００５４】
スキャン電極駆動部５１０はサステイン期間に陽（＋）の第１の電圧Ｖ１と陰（−）の第２の電圧Ｖ２とをスキャン電極Ｙに交互に印加する。このようなスキャン電極駆動部５１０は陽（＋）の第１の電圧Ｖ１を印加するポジティブスキャン電極駆動部５１１と陰（−）の第２の電圧Ｖ２を印加するネガティブスキャン電極駆動部５１３とを含む。
【００５５】
サステイン電極駆動部５２０はサステイン期間にスキャン電極駆動部５１０が陰（−）の第２の電圧Ｖ２を印加する時陽（＋）の第３の電圧Ｖ３をサステイン電極Ｚに印加し、スキャン電極駆動部５１０が陽（＋）の第１の電圧Ｖ１を印加する時陰（−）の第４の電圧Ｖ４をサステイン電極Ｚに印加する。このようなサステイン電極駆動部５２０は、ネガティブスキャン電極駆動部５１３が陰（−）の第２の電圧Ｖ２を印加する時陽（＋）の第３の電圧Ｖ３を印加するポジティブサステイン電極駆動部５２１と、前記ポジティブスキャン電極駆動部５１１が陽（＋）の第１の電圧Ｖ１を印加する時陰（−）の第４の電圧Ｖ４を印加するネガティブサステイン電極駆動部５２３とを含む。
【００５６】
この時、ポジティブスキャン電極駆動部５１１は第１のスイッチＭ１と第２のスイッチＭ２とからなる。第１のスイッチＭ１の一方の端は陽（＋）の第１の電圧Ｖ１を供給する第１の電圧源と連結され、第１のスイッチＭ１の他方の端はスキャン電極Ｙと連結される。第２のスイッチＭ２の一方の端はスキャン電極Ｙと連結され、第２のスイッチＭ２の他方の端はグラウンドと接続される。
【００５７】
ネガティブスキャン電極駆動部５１３は第３のスイッチＭ３と第４のスイッチＭ４とからなる。第３のスイッチＭ３の一方の端は陰（−）の第２の電圧Ｖ２を供給する第２の電圧源と連結され、第３のスイッチＭ３の他方の端はスキャン電極Ｙと連結される。第４のスイッチＭ４の一方の端はスキャン電極Ｙと連結され、第４のスイッチＭ４の他方の端はグラウンドと接続される。
【００５８】
ポジティブサステイン電極駆動部５２１は第５のスイッチＭ５と第６のスイッチＭ６とからなる。第５のスイッチＭ５の一方の端は陽（＋）の第３の電圧Ｖ３を供給する第３の電圧源と連結され、第５のスイッチＭ５の他方の端はサステイン電極Ｚと連結される。第６のスイッチＭ６の一方の端はサステイン電極Ｚと連結され、第６のスイッチＭ６の他方の端はグラウンドと接続される。
【００５９】
ネガティブサステイン電極駆動部５２３は第７のスイッチＭ７と第８のスイッチＭ８とからなる。第７のスイッチＭ７の一方の端は陰（−）の第４の電圧Ｖ４を供給する第４の電圧源と連結され、第７のスイッチＭ３の他方の端はサステイン電極Ｚと連結される。第８のスイッチＭ８の一方の端はサステイン電極Ｚと連結され、第８のスイッチＭ８の他方の端はグラウンドと接続される。
【００６０】
次に、図面を参照して本発明の第１の実施例によるプラズマディスプレイ装置の動作を詳細に説明する。
【００６１】
図６は、本発明の第１の実施例によるプラズマディスプレイ装置のスイッチングタイミング図及びサステインパルスの波形図である。図６に図示したように、サステイン期間中に第１のスイッチＭ１と第７のスイッチＭ７が同時にターンオンされる。これによってスキャン電極Ｙ及びサステイン電極Ｚに第１の電圧Ｖ１と第４の電圧Ｖ４とが同時に印加される。このように、第１の電圧Ｖ１と第４の電圧Ｖ４とが同時に印加されると、スキャン電極Ｙとサステイン電極Ｚとの電位差が第１の電圧Ｖ１の値と第４の電圧Ｖ４の値との和になる。
【００６２】
次に、第２のスイッチＭ２と第８のスイッチＭ８とが同時にターンオンされ残りのスイッチはターンオフされる。これによってスキャン電極Ｙ及びサステイン電極Ｚがグラウンドに接続される。このようにスキャン電極Ｙとサステイン電極Ｚがグラウンドに接続されると、スキャン電極Ｙとサステイン電極Ｚとの電位差は０Ｖとなる。
【００６３】
次に第３のスイッチＭ３と第５のスイッチＭ５とが同時にターンオンされ残りのスイッチはターンオフされる。これによってスキャン電極Ｙ及びサステイン電極Ｚに第２の電圧Ｖ２と第３の電圧Ｖ３とが同時に印加される。このように第２の電圧Ｖ２と第３の電圧Ｖ３とが同時に印加されると、スキャン電極Ｙとサステイン電極Ｚとの電位差は 第２の電圧Ｖ２の値と第３の電圧Ｖ３の値との和になる。
【００６４】
次に、第４のスイッチと第６のスイッチがターンオンされ残りのスイッチはターンオフされる。これによってスキャン電極Ｙ及びサステイン電極Ｚがグラウンドに接続される。このようにスキャン電極Ｙとサステイン電極Ｚとがグラウンドに接続されれとスキャン電極Ｙとサステイン電極Ｚの電位差は０Ｖとなる。
【００６５】
このように、スキャン電極Ｙとサステイン電極Ｚとの電位差を用いて放電を保持するため、従来のように高電圧のサステイン電圧を使用しなくても放電を保持することができるため耐電圧特性が低いスイッチング素子の使用が可能である。これによって製造費用の最小化及び抵抗成分による発熱及び電力消耗を減らすことができる。
＜実施例２＞
図７は本発明によるプラズマディスプレイ装置の第２の実施例の回路図である。
【００６６】
図７に図示したように、本発明の第２の実施例によるプラズマディスプレイ装置においては、各スイッチＭ１〜Ｍ８がＦＥＴ（Field Effect transistor）であり短絡防止のための第１の短絡防止ダイオード乃至第４の短絡防止ダイオードＤＳ１〜ＤＳ４を更に含む。このように第２のスイッチＭ２、第４のスイッチＭ４、第６のスイッチＭ６及び第８のスイッチＭ８がＦＥＴである場合、各スイッチにはボディーダイオード（body diode）である第１のダイオード乃至第４のダイオードＤ１〜Ｄ４が形成される。
【００６７】
第１のダイオードＤ１のアノード端は第２のスイッチＭ２の他方の端と連結され、第１のダイオードＤ１のカソード端は第２のスイッチＭ２の一方の端と連結される。
【００６８】
第１の短絡防止ダイオードＤＳ１のアノード端はスキャン電極Ｙと連結され、第１の短絡防止ダイオードＤＳ１のカソード端は第２のスイッチＭ２の一方の端と連結される。
【００６９】
第２のダイオードＤ２のアノード端は第４のスイッチＭ４の一方の端と連結され、第２のダイオードＤ２のカソード端は第４のスイッチＭ４の他方の端と連結される。
【００７０】
第２の短絡防止ダイオードＤＳ２のカソード端はスキャン電極Ｙと連結され、第２の短絡防止ダイオードＤＳ２のアノード端は第４のスイッチＭ４の一方の端と連結される。
【００７１】
第3のダイオードＤ３のアノード端は第６のスイッチＭ６の他方の端と連結され、第3のダイオードＤ３のカソード端は第６のスイッチＭ６の一方の端と連結される。
【００７２】
第３の短絡防止ダイオードＤＳ３のアノード端はサステイン電極Ｚと連結され、第３の短絡防止ダイオードＤＳ３のカソード端は第６のスイッチＭ６の一方の端と連結される。
【００７３】
第4のダイオードＤ４のアノード端は第８のスイッチＭ８の一方の端と連結され、第４のダイオードＤ４のカソード端は第８のスイッチＭ８の他方の端と連結される。
【００７４】
第４の短絡防止ダイオードＤＳ４のカソード端はサステイン電極Ｚと連結され、第４の短絡防止ダイオードＤＳ４のアノード端は第８のスイッチＭ８の一方の端と連結される。
【００７５】
このように連結される第１の短絡防止ダイオード乃至第４の短絡防止ダイオードＤＳ１〜ＤＳ４は第１の電圧乃至第４の電圧Ｖ１〜Ｖ４それぞれがスキャン電極Ｙまたはサステイン電極Ｚに印加される時スキャン電極Ｙまたはサステイン電極Ｚが接地されて短絡されることを防止する。
【００７６】
例えば、第１の短絡防止ダイオードＤＳ１がなければ第１のスイッチＭ１のターンオンにより第１の電圧Ｖ１がスキャン電極Ｙに印加される。また、スキャン電極Ｙに印加された第１の電圧Ｖ１は第４のスイッチＭ４がターンオフされていても，ボディーダイオードである第２のダイオードＤ２を介してグラウンドに印加される。従って、第１の短絡防止ダイオードＤＳ１はスキャン電極Ｙが短絡状態になることを防止する。同一の理由で第２の短絡防止ダイオードＤＳ２は第２の電圧Ｖ２がスキャン電極Ｙに印加される時，第２のスイッチＭ２のボディーダイオードである第１のダイオードＤ１を介してスキャン電極Ｙが短絡状態になることを防止する。第３の短絡防止ダイオードＤＳ３は第３の電圧Ｖ３がサステイン電極Ｚに印加される時第８のスイッチＭ８のボディーダイオードである第４のダイオードＤ４を介してサステイン電極Ｚが短絡状態になることを防止する。第４の短絡防止ダイオードＤＳ４は第４の電圧Ｖ４がサステイン電極Ｚに印加される時，第６のスイッチＭ６のボディーダイオードである第３のダイオードＤ３を介してサステイン電極Ｚが短絡状態になることを防止する。
この時，第１の短絡防止ダイオード乃至第４の短絡防止ダイオードＤＳ１〜ＤＳ４の中少なくとも１つはファストリカバリーダイオード（fast recovery diode）である。ファストリカバリーダイオードは逆回復時間（recovery time）が短いため短絡防止をより効果的に遂行することができる。
【００７７】
このような実施例２のスイッチングタイミングとそれによるサステインパルスの波形は実施例１と同一であるため、その詳細な説明は省略する。
＜実施例３＞
図８は本発明によるプラズマディスプレイ装置の第３の実施例の回路図である。図８に図示したように、第１の実施例のポジティブスキャン電極駆動部５１１、ネガティブスキャン電極駆動部５１３、ポジティブサステイン電極駆動部５２１及びネガティブサステイン電極駆動部５２３それぞれが短絡防止のための経路選択部を更に含んだものである。この時、各スイッチＭ１〜Ｍ８はＦＥＴである。
【００７８】
ポジティブスキャン電極駆動部５１１はネガティブスキャン電極駆動部５１３が動作する時、スキャン電極Ｙとポジティブスキャン電極駆動部５１１とを遮断する第１の経路選択部５１１−ａを含む。
【００７９】
ネガティブスキャン電極駆動部５１３はポジティブスキャン電極駆動部５１１が動作する時、スキャン電極Ｙとネガティブスキャン電極駆動部５１３とを遮断する第２の経路選択部５１３−ｂを含む。
【００８０】
この時、第１の経路選択部５１１−ａは、一方の端がスキャン電極Ｙと連結され他方の端が第２のスイッチＭ２の一方の端と連結される第１の経路選択スイッチＰＳＳ１を含む。
【００８１】
第２の経路選択部５１３−ｂは、一方の端がスキャン電極Ｙと連結され他方の端が第４のスイッチＭ４の一方の端と連結される第２の経路選択スイッチＰＳＳ２を含む。
【００８２】
また、ポジティブサステイン電極駆動部５２１はネガティブサステイン電極駆動部５２３が動作する時、サステイン電極Ｚとポジティブサステイン電極駆動部５２１とを遮断する第３の経路選択部５２１−ｃを含む。
【００８３】
ネガティブサステイン電極駆動部５２３はポジティブサステイン電極駆動部５２１が動作する時、サステイン電極Ｚとネガティブサステイン電極駆動部５２３とを遮断する第４の経路選択部５２３−ｄを含む。
【００８４】
この時、第３の経路選択部５２１−ｃは、一方の端がサステイン電極Ｚと連結され他方の端が第６のスイッチＭ６の一方の端と連結される第３の経路選択スイッチＰＳＳ３を含む。
【００８５】
第４の経路選択部５２３−ｄは、一方の端がサステイン電極Ｚと連結され他方の端が第８のスイッチＭ８の一方の端と連結される第４の経路選択スイッチＰＳＳ４を含む。
【００８６】
次に、図面を参照して本発明の第３の実施例の動作を詳細に説明する。
【００８７】
図９は、本発明の第３の実施例によるプラズマディスプレイ装置のスイッチングタイミング図及びサステインパルスの波形図である。図９に図示したように、第１のスイッチ乃至第８のスイッチＭ１〜Ｍ８の動作及びサステインパルスの波形は実施例１のスイッチングタイミング及びサステインパルスの波形と同一であるため詳細な説明は省略する。
【００８８】
第１のスイッチＭ１がターンオンされ第１の電圧Ｖ１がスキャン電極Ｙに印加され、第７のスイッチＭ７がターンオンされ第４の電圧Ｖ４がサステイン電極Ｚに印加されるためには、第１の経路選択スイッチＰＳＳ１と第４の経路選択スイッチＰＰＳ４がターンオンされなければならない。この過程において、第１の電圧Ｖ１と第４の電圧Ｖ４が第４のスイッチＭ４の第２のダイオードＤ２と第６のスイッチの第３のダイオードＤ３とを介してグラウンドに印加されることを防ぐためには、第２の経路選択スイッチＰＳＳ２と第３の経路選択スイッチＰＳＳ３がターンオフされなければならない。
【００８９】
また、第５のスイッチＭ５がターンオンされ第３の電圧Ｖ３がサステイン電極Ｚに印加され、第３のスイッチＭ３がターンオンされ第２の電圧Ｖ２がスキャン電極Ｙに印加されるためには、第３の経路選択スイッチＰＳＳ３と第２の経路選択スイッチＰＰＳ２がターンオンされなければならない。この過程において、第３の電圧Ｖ３と第２の電圧Ｖ２が第８のスイッチＭ８の第４のダイオードＤ４と第２のスイッチの第１のダイオードＤ１とを介してグラウンドに印加されることを防ぐためには、第１の経路選択スイッチＰＳＳ１と第４の経路選択スイッチＰＳＳ４がターンオフされなければならない。
＜実施例４＞
図１０は、本発明によるプラズマディスプレイ装置の第４の実施例の回路図である。図１０に図示したように、本発明の第４の実施例は第１の実施例の構成にエネルギー回収回路部を添加したものである。
【００９０】
即ち、スキャン電極駆動部５１０はポジティブスキャン電極駆動部５１１、ネガティブスキャン電極駆動部５１３、第１のスキャン電極用エネルギー回収部５１５及び第２のスキャン電極用エネルギー回収部５１７とを含む。
【００９１】
第１のスキャン電極用エネルギー回収部５１５は陽（＋）の第１の電圧Ｖ１の０．５倍に該当するエネルギーを第１のインダクタＬ１とパネルキャパシタＣｐとの共振を用いて第１のキャパシタＣ１と第１のエネルギー回収スイッチＲＳ１とを介してスキャン電極Ｙに注入する。ポジティブスキャン電極駆動部５１１が陽（＋）の第１の電圧Ｖ１をスキャン電極Ｙに印加した後、第１のスキャン電極用エネルギー回収部５１５は陽（＋）の第１の電圧Ｖ１の０．５倍に該当するエネルギーを第２のエネルギー回収スイッチＲＳ２のターンオンによって第１のインダクタＬ１とパネルキャパシタＣｐとの共振を用いて第１のキャパシタＣ１に回収する。
【００９２】
第２のスキャン電極用エネルギー回収部５１７は陰（−）の第２の電圧Ｖ２の０．５倍に該当するエネルギーを第２のインダクタＬ２とパネルキャパシタＣｐとの共振を用いて第２のキャパシタＣ２と第３のエネルギー回収スイッチＲＳ３とを介してスキャン電極Ｙに注入する。ネガティブスキャン電極駆動部５１３が陰（−）の第２の電圧Ｖ２をスキャン電極Ｙに印加した後、第２のスキャン電極用エネルギー回収部５１７は陰（−）の第２の電圧Ｖ２の０．５倍に該当するエネルギーを第４のエネルギー回収スイッチＲＳ４のターンオンによって第２のインダクタＬ２とパネルキャパシタＣｐとの共振を用いて第２のキャパシタＣ２に回収する。
【００９３】
第３のサステイン電極用エネルギー回収部５２５は第２のスキャン電極用エネルギー回収部５１７がエネルギーを注入する時、陽（＋）の第３の電圧Ｖ３の０．５倍に該当するエネルギーを第３のインダクタＬ３とパネルキャパシタＣｐとの共振を用いて第３のキャパシタＣ３と第５のエネルギー回収スイッチＲＳ５とを介してサステイン電極Ｚに注入する。ポジティブサステイン電極駆動部５２１が陽（＋）の第３の電圧Ｖ３をサステイン電極Ｚに印加した後、第３のサステイン電極用エネルギー回収部５２５は陽（＋）の第３の電圧Ｖ３の０．５倍に該当するエネルギーを第６のエネルギー回収スイッチＲＳ６のターンオンによって第３のインダクタＬ３とパネルキャパシタＣｐとの共振を用いて第３のキャパシタＣ３に回収する。
【００９４】
第４のサステイン電極用エネルギー回収部５２７は第１のスキャン電極用エネルギー回収部５１５がエネルギーを注入する時、陰（−）の第４の電圧Ｖ４の０．５倍に該当するエネルギーを第４のインダクタＬ４とパネルキャパシタＣｐとの共振を用いて第４のキャパシタＣ４と第7のエネルギー回収スイッチＲＳ７とを介してサステイン電極Ｚに注入する。ネガティブサステイン電極駆動部５２３が陰（−）の第４の電圧Ｖ４をサステイン電極Ｚに印加した後、第４のサステイン電極用エネルギー回収部５２７は陰（−）の第４の電圧Ｖ４の０．５倍に該当するエネルギーを第８のエネルギー回収スイッチＲＳ８のターンオンによって第４のインダクタＬ４とパネルキャパシタＣｐとの共振を用いて第４のキャパシタＣ４に回収する。
【００９５】
次に、図面を参照して本発明の第４の実施例によるプラズマディスプレイ装置の動作を詳細に説明する。
【００９６】
図１１は、本発明の第４の実施例によるプラズマディスプレイ装置のスイッチングタイミング図及びサステインパルスの波形図である。図１１のスイッチの動作によって、第１の電圧Ｖ１と第４の電圧Ｖ４がスキャン電極Ｙ及びサステイン電極Ｚに印加される過程と、第２の電圧Ｖ２と第３の電圧Ｖ３がスキャン電極Ｙ及びサステイン電極Ｚに印加される過程でインダクタとパネルキャパシタＣｐとの共振を用いてエネルギーが注入され回収される。
【００９７】
先ず、状態１ＳＴ１で、第１のエネルギー回収スイッチＲＳ１と第７のエネルギー回収スイッチＲＳ７がターンオンされる。これによってエネルギーが第１のキャパシタＣ１から第１のインダクタＬ１とパネルキャパシタＣｐとの共振によってスキャン電極Ｙに注入され、第４のキャパシタＣ４から第４のインダクタＬ４とパネルキャパシタＣｐとの共振によってサステイン電極Ｚに注入される。
【００９８】
状態２ＳＴ２で、第１のエネルギー回収スイッチＲＳ１と第７のエネルギー回収スイッチＲＳ７がターンオン状態を保持し、第１のスイッチＭ１と第７のスイッチＭ７がターンオンされる。これによってスキャン電極Ｙ及びサステイン電極Ｚの電位はそれぞれ第１の電圧Ｖ１と第４の電圧Ｖ４に保持される。
【００９９】
状態３ＳＴ３で、第２のエネルギー回収スイッチＲＳ２と第８のエネルギー回収スイッチＲＳ８がターンオンされる。これによって第１のインダクタＬ１とパネルキャパシタＣｐとの共振によってスキャン電極Ｙからエネルギーが回収され、第４のインダクタＬ４とパネルキャパシタＣｐとの共振によってサステイン電極Ｚからエネルギーが回収される。
【０１００】
状態４ＳＴ４で、第２のエネルギー回収スイッチＲＳ２と第８のエネルギー回収スイッチＲＳ８がターンオン状態を保持し、第２のスイッチＭ２と第８のスイッチＭ８がターンオンされる。これによってスキャン電極Ｙ及びサステイン電極Ｚの電位はそれぞれグラウンドレベルに保持される。
【０１０１】
状態５ＳＴ５で、第３のエネルギー回収スイッチＲＳ３と第５のエネルギー回収スイッチＲＳ５がターンオンされる。これによってエネルギーが第２のキャパシタＣ２から第２のインダクタＬ２とパネルキャパシタＣｐとの共振によってスキャン電極Ｙに注入され、第３のキャパシタＣ３から第３のインダクタＬ３とパネルキャパシタＣｐとの共振によってサステイン電極Ｚに注入される。
【０１０２】
状態６ＳＴ６で、第３のエネルギー回収スイッチＲＳ３と第５のエネルギー回収スイッチＲＳ５がターンオン状態を保持し、第３のスイッチＭ３と第５のスイッチＭ５がターンオンされる。これによってスキャン電極Ｙ及びサステイン電極Ｚの電位はそれぞれ第２の電圧Ｖ２と第３の電圧Ｖ３に保持される。
【０１０３】
状態７ＳＴ７で、第４のエネルギー回収スイッチＲＳ４と第６のエネルギー回収スイッチＲＳ６がターンオンされる。これによって第２のインダクタＬ２とパネルキャパシタＣｐとの共振によってスキャン電極Ｙからエネルギーが回収され、第３のインダクタＬ３とパネルキャパシタＣｐとの共振によってサステイン電極Ｚからエネルギーが回収される。
【０１０４】
状態８ＳＴ８で、第４のエネルギー回収スイッチＲＳ４と第６のエネルギー回収スイッチＲＳ６がターンオン状態を保持し、第４のスイッチＭ４と第６のスイッチＭ６がターンオンされる。これによってスキャン電極Ｙ及びサステイン電極Ｚの電位はそれぞれグラウンドレベルに保持される。
【０１０５】
第４の実施例またスキャン電極Ｙとサステイン電極Ｚとの電位差を用いて放電を保持するため、従来のように高電圧のサステイン電圧を使用しなくても放電を保持することができるため耐電圧特性が低いスイッチング素子の使用が可能である。
【０１０６】
図１２は、本発明の第４の実施例によるプラズマディスプレイ装置のインダクタに流れる電流の波形を示したものである。図１２上段の図に示すように、スキャン電極Ｙに第１の電圧と第２の電圧が交互に印加される過程から第１のインダクタＬ１と第２のインダクタＬ２に流れる電流の変化が分かる。図１２からわかるように、本発明の第４の実施例によるプラズマディスプレイ装置は共振を通じてエネルギーを注入し回収している。
【０１０７】
第４の実施例またスキャン電極Ｙとサステイン電極Ｚの電位差を用いて放電を防止するため、従来のように高電圧のサステイン電圧を使用しなくても放電を保持することができるため耐電圧特性が低いスイッチング素子の使用が可能である。これによって製造費用の最小化及び抵抗成分による電力消耗を減らすことができる。
＜実施例５＞
図１３は、本発明によるプラズマディスプレイ装置の第５の実施例の回路図である。本発明の第５の実施例は先に説明した第４の実施例の第２のスイッチＭ２、第４のスイッチＭ４、第６のスイッチＭ６及び第８のスイッチＭ８がＦＥＴである場合、各スイッチに形成されたボディーダイオード（body diode）である第５のダイオード乃至第８のダイオードＤ５〜Ｄ８の影響を遮断するため、第５の短絡防止ダイオード乃至第８の短絡防止ダイオードＤＳ５〜ＤＳ８を更に含む。
【０１０８】
即ち、ポジティブスキャン電極駆動部５１１は第２のスキャン電極用エネルギー回収部５１７がエネルギーを注入した後第２の電圧Ｖ２が印加される時、第２の電圧Ｖ２がグラウンドに印加されることを遮断する第５の短絡防止ダイオードＤＳ５を更に含む。
【０１０９】
ネガティブスキャン電極駆動部５１３は第１のスキャン電極用エネルギー回収部５１５がエネルギーを注入した後第１の電圧Ｖ１が印加される時、第１の電圧Ｖ１がグラウンドに印加されることを遮断する第６の短絡防止ダイオードＤＳ６を更に含む。
【０１１０】
ポジティブサステイン電極駆動部５２１は第４のスキャン電極用エネルギー回収部５２７がエネルギーを注入した後第４の電圧Ｖ４が印加される時、第４の電圧Ｖ４がグラウンドに印加されることを遮断する第7の短絡防止ダイオードＤＳ７を更に含む。
【０１１１】
ネガティブサステイン電極駆動部５２３は第３のスキャン電極用エネルギー回収部５２５がエネルギーを注入した後第３の電圧Ｖ３が印加される時、第３の電圧Ｖ３がグラウンドに印加されることを遮断する第８の短絡防止ダイオードＤＳ８を更に含む。
【０１１２】
第５のダイオードＤ５のアノード端は第２のスイッチＭ２の他方の端と連結され、第５のダイオードＤ５のカソード端は第２のスイッチＭ２の一方の端と連結される。
【０１１３】
第５の短絡防止ダイオードＤＳ５のアノード端はスキャン電極Ｙと連結され、第５の短絡防止ダイオードＤＳ５のカソード端は第２のスイッチＭ２の一方の端と連結される。
【０１１４】
第６のダイオードＤ６のアノード端は第４のスイッチＭ４の一方の端と連結され、第６のダイオードＤ６のカソード端は第４のスイッチＭ４の他方の端と連結される。
【０１１５】
第６の短絡防止ダイオードＤＳ６のカソード端はスキャン電極Ｙと連結され、第６の短絡防止ダイオードＤＳ６のアノード端は第４のスイッチＭ４の一方の端と連結される。
【０１１６】
第7のダイオードＤ７のアノード端は第６のスイッチＭ６の他方の端と連結され、第7のダイオードＤ７のカソード端は第６のスイッチＭ６の一方の端と連結される。
【０１１７】
第7の短絡防止ダイオードＤＳ７のアノード端はサステイン電極Ｚと連結され、第7の短絡防止ダイオードＤＳ７のカソード端は第６のスイッチＭ６の一方の端と連結される。
【０１１８】
第８のダイオードＤ８のアノード端は第８のスイッチＭ８の一方の端と連結され、第８のダイオードＤ８のカソード端は第８のスイッチＭ８の他方の端と連結される。
【０１１９】
第８の短絡防止ダイオードＤＳ８のカソード端はサステイン電極Ｚと連結され、第８の短絡防止ダイオードＤＳ８のアノード端は第４のスイッチＭ４の一方の端と連結される。
【０１２０】
次に、図面を参照して本発明の第５の実施例によるプラズマディスプレイ装置の動作を詳細に説明する。
【０１２１】
本発明の第５の実施例によるプラズマディスプレイ装置のスイッチングタイミング図及びサステインパルスの波形図は図１１と同一である。第５の実施例によるプラズマディスプレイ装置の第５の短絡防止ダイオードＤＳ５及び第８の短絡防止ダイオードＤＳ８は、第２の電圧Ｖ２と第３の電圧Ｖ３とがそれぞれスキャン電極Ｙとサステイン電極Ｚに印加される状態４ＳＴ４で第２の電圧Ｖ２と第３の電圧Ｖ３とが第２のスイッチＭ２の第５のダイオードＤ５と第８のスイッチＭ８の第８のダイオードを通してグラウンドに印加されることを防止する。また、第６の短絡防止ダイオードＤＳ６及び第７の短絡防止ダイオードＤＳ７は 第１の電圧Ｖ１と第４の電圧Ｖ４とがそれぞれスキャン電極Ｙとサステイン電極Ｚに印加される状態２ＳＴ２で第１の電圧Ｖ１と第４の電圧Ｖ４とが第４のスイッチＭ４の第６のダイオードＤ６と第６のスイッチＭ６の第7のダイオードを通してグラウンドに印加されることを防止する。
【０１２２】
この時、第５の短絡防止ダイオード乃至第８の短絡防止ダイオードＤＳ５〜ＤＳ８の中少なくとも１つはファストリカバリーダイオード（fast recovery diode）である。ファストリカバリーダイオードは逆回復時間（recovery time）が短いため短絡防止をより効果的に遂行することができる。
＜実施例６＞
図１４は、本発明によるプラズマディスプレイ装置の第６の実施例の回路図である。本発明の第６の実施例は先に説明した第４の実施例の第２のスイッチＭ２、第４のスイッチＭ４、第６のスイッチＭ６及び第８のスイッチＭ８がＦＥＴである場合各スイッチに形成されたボディーダイオード（body diode）である第５のダイオード乃至第８のダイオードＤ５〜Ｄ８の影響を遮断するため、ポジティブスキャン電極駆動部５１１、ネガティブスキャン電極駆動部５１３、ポジティブサステイン電極駆動部５２１及びネガティブサステイン電極駆動部５２３それぞれが短絡防止のための経路選択部を更に含む。
【０１２３】
ポジティブスキャン電極駆動部５１１はネガティブスキャン電極駆動部５１３が動作する時、スキャン電極Ｙとポジティブスキャン電極駆動部５１１とを遮断する第５の経路選択部５１１−ｅを含む。
【０１２４】
ネガティブスキャン電極駆動部５１３はポジティブスキャン電極駆動部５１１が動作する時、スキャン電極Ｙとネガティブスキャン電極駆動部５１３とを遮断する第６の経路選択部５１３−ｆを含む。
【０１２５】
この時、第５の経路選択部５１１−ｅは一方の端がスキャン電極Ｙと連結され、他方の端が第２のスイッチＭ２の一方の端と連結される第５の経路選択スイッチＰＳＳ５を含む。
【０１２６】
第６の経路選択部５１３−ｆは一方の端がスキャン電極Ｙと連結され、他方の端が第４のスイッチＭ４の一方の端と連結される第６の経路選択スイッチＰＳＳ６を含む。
【０１２７】
また、ポジティブサステイン電極駆動部５２１はネガティブサステイン電極駆動部５２３が動作する時、サステイン電極Ｚとポジティブサステイン電極駆動部５２１とを遮断する第７の経路選択部５２１−ｇを含む。
【０１２８】
ネガティブサステイン電極駆動部５２３はポジティブサステイン電極駆動部５２１が動作する時、サステイン電極Ｚとネガティブサステイン電極駆動部５２３とを遮断する第８の経路選択部５２３−ｈを含む。
【０１２９】
この時、第７の経路選択部５２１−ｇは一方の端がサステイン電極Ｚと連結され、他方の端が第６のスイッチＭ６の一方の端と連結される第7の経路選択スイッチＰＳＳ７を含む。
【０１３０】
第４の経路選択部５２３−ｈは一方の端がサステイン電極Ｚと連結され、他方の端が第８のスイッチＭ８の一方の端と連結される第８の経路選択スイッチＰＳＳ８を含む。
【０１３１】
次に、図面を参照して本発明の第６の実施例によるプラズマディスプレイ装置の動作を詳細に説明する。
【０１３２】
図１５は、本発明の第６の実施例によるプラズマディスプレイ装置のスイッチングタイミング図及びサステインパルスの波形図である。図１５に図示したように、第１のスイッチ乃至第８のスイッチＭ１〜Ｍ８及び第１のエネルギー回収スイッチ乃至第８のエネルギー回収スイッチＲＳ１〜ＲＳ８の動作及びサステインパルスの波形は図１１に図示した実施例４のスイッチングタイミング及びサステインパルスの波形と同一であるため詳細な説明は省略する。
【０１３３】
第１のスイッチＭ１がターンオンされ第１の電圧Ｖ１がスキャン電極Ｙに印加され、第７のスイッチＭ７がターンオンされ第４の電圧Ｖ４がサステイン電極Ｚに印加されるためには、第５の経路選択スイッチＰＳＳ１と第８の経路選択スイッチＰＳＳ８がターンオンされなければならない。この過程で、第１の電圧Ｖ１と第４の電圧Ｖ４が第４のスイッチＭ４の第６のダイオードＤ６と第６のスイッチＭ６の第７のダイオードＤ７を通してグラウンドに印加されることを防ぐためには、第６の経路選択スイッチＰＳＳ６と第７の経路選択スイッチＰＳＳ７がターンオフされなければならない。
【０１３４】
また、第５のスイッチＭ５がターンオンされ第３の電圧Ｖ３がサステイン電極Ｚに印加され、第３のスイッチＭ３がターンオンされ第２の電圧Ｖ２がスキャン電極Ｙに印加されるためには、第７の経路選択スイッチＰＳＳ７と第６の経路選択スイッチＰＳＳ６がターンオンされなければならない。この過程で、第３の電圧Ｖ３と第２の電圧Ｖ２が第８のスイッチＭ８の第８のダイオードＤ８と第２のスイッチＭ２の第５のダイオードＤ５を通してグラウンドに印加されることを防ぐためには、第５の経路選択スイッチＰＳＳ５と第８の経路選択スイッチＰＳＳ８がターンオフされなければならない。
【図面の簡単な説明】
【０１３５】
【図１】従来のプラズマディスプレイパネルの駆動方法を説明するためのものである。
【図２】サステインパルスを印加する従来のプラズマディスプレイ装置の回路図である。
【図３】従来のプラズマディスプレイ装置によってスキャン電極に印加される電圧と電流の波形図である。
【図４】本発明のプラズマディスプレイ装置のブロック構成図である。
【図５】本発明によるプラズマディスプレイ装置の第１の実施例の回路図である。
【図６】本発明の第１の実施例によるプラズマディスプレイ装置のスイッチングタイミング図及びサステインパルスの波形図である。
【図７】本発明によるプラズマディスプレイ装置の第２の実施例の回路図である。
【図８】本発明によるプラズマディスプレイ装置の第３の実施例の回路図である。
【図９】本発明の第３の実施例によるプラズマディスプレイ装置のスイッチングタイミング図及びサステインパルスの波形図である。
【図１０】本発明によるプラズマディスプレイ装置の第４の実施例の回路図である。
【図１１】本発明の第４の実施例によるプラズマディスプレイ装置のスイッチングタイミング図及びサステインパルスの波形図である。
【図１２】本発明の第４の実施例によるプラズマディスプレイ装置のインダクタに流れる電流の波形を示したものである。
【図１３】本発明によるプラズマディスプレイ装置の第５の実施例の回路図である。
【図１４】本発明によるプラズマディスプレイ装置の第６の実施例の回路図である。
【図１５】本発明の第６の実施例によるプラズマディスプレイ装置のスイッチングタイミング図及びサステインパルスの波形図である。
【図３】
2006039576.tif 000003
【図６】
2006039576.tif 000004
【図９】
2006039576.tif 000005
【図１１】
2006039576.tif 000006
【図１２】
2006039576.tif 000007
【図１３】
2006039576.tif 000008
【図１５】
2006039576.tif 000009
【図１】
2006039576.tif 000010
【図２】
2006039576.tif 000011
【図４】
2006039576.tif 000012
【図５】
2006039576.tif 000013
【図７】
2006039576.tif 000014
【図８】
2006039576.tif 000015
【図１０】
2006039576.tif 000016
【図１４】
2006039576.tif 000017